(57)【要約】      （修正有）【課題】安価に製造でき、フィルター保持枠に互換性があり、容易迅速にフィルター交換を可能にし、しかもフィルターを縦・横の歪み無く張ることができるためフィルター機能を長期に維持して交換頻度を低減できるレンジフードフィルターを提供する。【解決手段】レンジフードのフィルター保持枠に装着するフィルターであって、矩形のフィルターＦの表面部をフィルター保持枠の吸気側を覆うフィルター本体１００とし、その両側部と上下部をフィルター保持枠の排気側の両側部に亘る回し囲い部１０１〜１０４にし、前記両側部の回し囲い部の各端部に端部保持プレート２０１、２０２を固定し、端部保持プレート間に取り外し可能に位置し、端部保持プレート間に引っ張り力を発生させるスプリング治具３００を備える。【選択図】図１
0003198377.tif 000002
【実用新案登録請求の範囲】
【請求項１】
レンジフードのフィルター保持枠に装着するフィルターであって、矩形のフィルター（Ｆ）において、フィルター保持枠の吸気側を覆うフィルター本体（１００）と、その両側部と上下部をフィルター回し囲い部（１０１，１０２，１０３，１０４）にし、前記両側部の回し囲い部（１０１，１０２）の各端部に端部保持プレート（２０１，２０２）を固定し、前記端部保持プレート（２０１，２０２）間に取り外し可能に位置し、端部保持プレート（２０１，２０２）間に引っ張り力を発生させるスプリング治具（３００）を備えてなることを特徴とするレンジフードフィルター。
【請求項２】
前記端部保持プレート（２０１，２０２）は二つ折りにして前記保持枠の排気側の両側部に亘る回し囲い部（１０１，１０２）の端部を挟持して接着したことを特徴とする請求項１記載のレンジフードフィルター。
【請求項３】
前記端部保持プレート（２０１，２０２）はフック受け（２１０，２２０）を形成し、前記スプリング治具（３００、３００−１，３００−２）は、その両側に前記端部保持プレート（２０１，２０２）に形成した前記フック受け（２１０，２２０）に引っ掛けるフック（３０２、３０３）を形成したことを特徴とする請求項１又は請求項２に記載のレンジフードフィルター。
【考案の詳細な説明】
【技術分野】
【０００１】  本考案は、簡単に交換することを可能にしたレンジフードフィルターに関するものである。
【背景技術】
【０００２】  一般に、レンジフードは、キッチンのこんろ上部に設置する排気設備であり、ステンレス製などのおおい（フード）と換気扇を組み合わせてあり、調理の際に出る油煙、蒸気、臭いなどを効率よく排出するものである。
このレンジフードと換気扇の機能を良好に維持するには、レンジフードと換気扇との間の吸気部にフィルターを定期的に或いは任意に交換可能に取り付けて調理の際に出る油煙、蒸気などを効率よく除去することが要求される。【０００３】＜フィルターのタイプ＞
該レンジフードのフィルターは、レンジフードの形式によって種類が異なるが、次のタイプが主流である。【０００４】１．前記吸気部に枠内に金網或いは格子を配置したカバーを取り付け、このカバー表面（吸気側面）に定型フィルターを両面テープにより直接貼り付けて覆う「地下付けフィルター」
２．前記吸気部にフィルター保持金枠を取り外し可能に設け、このフィルター保持金枠にフィルター押え具を設け、フィルター押さえ具により定型のフィルターをフィルター保持金枠に交換可能に取り付ける「金枠保持フィルター」
３．前記吸気部にフィルター保持金枠を設け、フィルター保持金枠にフィルターを矩形枠に張った専用カセットを交換可能に嵌める「専用カセットフィルター」【０００５】＜各タイプの問題＞
前記フィルターはそれぞれ次の問題がある。
１．「地下付けフィルター」について
金網或いは格子のカバー枠に両面テープを使用してフィルターを貼り付ける作業が煩雑であり、テープ間の弛みによるフィルターの波打ち現象、フィルターの縦・横張り状態の不均等などが発生し、騒音及び劣化し易い。
このためフィルターの交換頻度が高い。
２．「金具保持フィルター」
フィルター保持金枠のフィルター押さえ具は、枠の周囲に設けた止め爪にフィルターの端を入れて止め、井桁の押さえ具をフィルター表面に置き井桁の押さえ具の端のフックを枠のフック受けに掛けるもので、フィルターの交換には、フィルター保持枠の外し作業−押さえ金具を枠のフック受けから外し汚れたフィルターを枠の止め爪から外す作業−フィルター保持金枠にピッタリサイズの新しい枠専用フィルターを広げて枠に合わせて載せる作業−載せた専用フィルターの端を止め爪に挿入して後、井桁の押さえ具のフックをフィルター保持枠のフック受に掛ける作業等々煩雑で手間のかかる作業が伴い改善が要求される。
また止め爪にフィルターの端を入れて止め、井桁の押さえ具とは線接触のためフィルターの横張り縦張り状態が緩く、通気により変形してフィルター機能を損なう。このためフィルターの交換頻度が高い。
３．「専用カセットフィルター」
専用カセットフィルターは、ワンタッチ交換が可能であるがフィルター付き矩形枠のためコストが嵩み経済的でない。
【考案の概要】
【考案が解決しようとする課題】
【０００６】  本考案は、安価に製造することができ、多様のフィルター保持枠に互換性があり、極めて容易で迅速にフィルターの交換を可能に、しかもフィルターを縦・横の歪み無く美麗に張ることができるため交換後のフィルター機能を長期に維持して交換頻度を低減する優れたレンジフードフィルターを提供するものである。
【課題を解決するための手段】
【０００７】上記課題を満足させる本考案のレンジフードフィルターセットにおける主な特徴ある技術構成は、次の（１）の通りである。
（１）、レンジフードのフィルター保持枠に装着するフィルターであって、矩形のフィルターＦの表面部をフィルター保持枠の吸気側を覆うフィルター本体１００としその両側部と上下部をフィルター保持枠の排気側の両側部に亘る回し囲い部１０１，１０２，１０３，１０４にし、前記両側部の回し囲い部１０１，１０２の各端部に端部保持プレート２０１，２０２を固定し、前記端部保持プレート２０１，２０２間に取り外し可能に位置し、端部保持プレート２０１，２０２間に引っ張り力を発生させるスプリング治具３００を備えてなることを特徴とするレンジフードフィルター。
（２）、前記端部保持プレート２０１，２０２は二つ折りにして前記回し囲い部１０１，１０２の端部を挟持して接着したことを特徴とする請求項１記載のレンジフードフィルター。
（３）、前記端部保持プレート２０１，２０２はフック受け２１０，２２０を形成し、前記スプリング治具３００はその両側に前記端部保持プレート２０１，２０２に形成したフック受け２１０，２２０に引っ掛けるフック３０２、３０３を形成したことを特徴とする請求項１又は請求項２に記載のレンジフードフィルター。
【考案の効果】
【０００８】  本考案のレンジフードフィルターＦは、前記特徴の構成により、安価に製造することができ、多様のフィルター保持枠に互換性があり、極めて容易で迅速にフィルターの交換を可能に、しかもフィルターを縦・横の歪み無く美麗に張ることができるため交換後のフィルター機能を長期に維持して交換頻度を低減する等の優れた効果を呈するものである。
前記スプリング治具３００は、汚れたレンジフードフィルターを前記端部保持プレート２０１、２０２と共に交換の都度、端部保持プレート２０１，２０２から外して次の新品レンジフードフィルターに使用することが可能である。
従って、例えば、保持プレート２０１，２０２付きレンジフードフィルターＦを複数個とスプリング治具３００を少なくとも一個とのセットで製造販売可能である。
【図面の簡単な説明】
【０００９】
【図１】（１）は本考案のフィルターＦの展開図であり、（２）は（１）の矢視Ａ−Ａから見た横断面図、（３）はフィルターＦとセットのスプリング治具３００である。
【図２】レンジフードからフィルター保持枠Ｗを外す説明図である。
【図３】（１）〜（３）は図１に示すフィルターＦをフィルター保持枠Ｗに装着する順番の説明図である。
【図４】図３の（３）の状態を（１）に示し、これをフィルター保持枠Ｗと共に裏返して吸引側を表にした状態を（２）に示す。
【図５】スプリング治具３００の他の変形例として（１）に棒バネスプリング３００−１を示し、（２）に板バネスプリング３００−２を示す説明図である。
【考案を実施するための形態】
【００１０】  考案を実施するための形態を実施例により詳細に説明する。
【実施例１】
【００１１】  本考案の発電装置例を図１〜図５と共に詳細に説明する。【００１２】  図１の（１）において、レンジフードのフィルター保持枠Ｗに装着する矩形のフィルターＦは、フィルター保持枠Ｗの吸気側を覆う矩形のフィルター本体１００と、その両側部と上下部をフィルター保持枠Ｗの排気側の両側部に回す両側囲い部１０１，１０２とフィルター保持枠Ｗの排気側の上下部に回す上下囲い部１０３、１０４とにより区分してある。
前記両側部の回し囲い部１０１，１０２の各端部には、図１の（２）に示すように二つ折りの厚紙製の端部保持プレート２０１，２０２で表裏面を挟んで固定し、前記端部保持プレート２０１，２０２間に取り外し可能に位置して端部保持プレート２０１，２０２間に引っ張り力を発生させる図１の（３）に示すスプリング治具３００を備えている。端部保持プレート２０１，２０２は一枚でもよく、材質は紙製に限らず軽量樹脂製、木製などでも適宜採用される。【００１３】前記端部保持プレート２０１，２０２は前記回し囲い部１０１，１０２の端部を挟持して接着してある。
前記端部保持プレート２０１，２０２は、中央部とその両側部に穴型のフック受け２１０，２２０を形成してある。【００１４】前記スプリング治具３００はコイルスプリング３０１の両側に前記端部保持プレート２０１，２０２に形成したフック受け２１０，２２０に引っ掛けるフック３０２，３０３を形成してある。
スプリング治具３００のコイルスプリング３０１は、この例に限らず、ゴムスプリング、図５の（１）に示すように中間部にコイル巻きＣを形成した棒バネスプリング３００−１、中間部をくの字Ｋに折った板バネスプリング３００−２等々のスプリング手段に適宜選択することができる。【００１５】  而して、フィルター保持枠ＷへのフィルターＦの装着交換例は、図２及び図３に示すように次のステップにより順次行う。【００１６】＜ステップ１＞
図２に示すように、レンジフードの吸気部から枠内に支持アームとしてクロスバーＸを配置したフィルター保持枠Ｗを取り外す。
本考案のレンジフードフィルターを装着するフィルター保持枠Ｗは、クロスバーＸを配置した一例であり、この例に限らず、枠内に以外に井桁や十字等の支持アームを配置したもの或いは何も配置していないもの等、各種公知のフィルター保持枠が対象である。【００１７】＜ステップ２＞
図３の（１）に示すように、展開したフィルターＦのフィルター本体１００の上面（裏面）にフィルター保持枠Ｗの吸引側を合わせて載せる。【００１８】＜ステップ３＞
図３の（２）に示すように、フィルターＦの両側部の回し囲い部１０１，１０２を端部保持プレート２０１，２０２と共にフィルター保持枠Ｗの両側部を覆いこの状態で端部保持プレート２０１，２０２の中央部間にスプリング治具３００を掛けてフィルターＦにテンションを掛ける。
スプリング治具３００は端部保持プレート２０１，２０２の両端部に掛けてもよい。【００１９】＜ステップ４＞
図３の（３）に示すように、フィルターＦの上下の回し囲い部１０３，１０４でフィルター保持枠Ｗの排気側の上・下部を覆い、端部保持プレート２０１，２０２の下に入れ込んで端部保持プレート２０１，２０２で押さえる。【００２０】＜ステップ５＞
図３の（３）の状態を図４の（１）に示すが、この状態からフィルター保持枠Ｗと共に裏返して図４の（２）に示すよう吸引側を表にして、図２に示すレンジフードの吸気部に嵌める。【００２１】＜ステップ６＞
フィルター保持枠Ｗから汚れたフィルターを交換するには、レンジフードの吸気部から汚れたフィルター付きのフィルター保持枠Ｗを外し、次いでフィルター保持枠Ｗの排気側を下にして図４の（１）に示す状態にし、スプリング治具３００を外し、端部保持プレート２０１，２０２を開きフィルター全体をフィルター保持枠Ｗから離脱して廃棄する。スプリング治具３００は次の新しく交換するフィルターのために再使用する。【００２２】  このように本例のレンジフードのフィルターＦは、フィルター保持枠Ｗに対してその交換を上記の単純な作業で迅速確実に完了する。
【考案の産業上の利用】
【００２３】  本考案は、前述の優れた作用効果を呈するため、業務用は勿論一般家庭におけるレンジフードのフィルター交換作業を迅速安全で確実に実施することができレンジフードの製造販売使用産業界に顕著に貢献すること多大なものがある。
【符号の説明】
【００２４】Ｆ：フィルター
Ｗ：フィルター保持枠Ｗ
１００：フィルター本体
１０１，１０２，１０３，１０４：回し囲い部
２０１，２０２：端部保持プレート
２１０、２２０：フック受け
３００：スプリング治具
３０１：コイルスプリング
３０２、３０３：フック
【図１】
0003198377.tif 000003
【図２】
0003198377.tif 000004
【図３】
0003198377.tif 000005
【図４】
0003198377.tif 000006
【図５】
0003198377.tif 000007